(57)【特許請求の範囲】
【請求項１】
移動観覧席の床台上に、各組をなす複数のリンク部材の下端部が同一直線上に位置するとともに、異なる組をなすリンク部材の下端部が互いに平行な異なる直線上に位置する配置にて、各々下端部を前記直線に直角かつ前記床台に平行な軸線周りに揺動可能に連結されて、前記床台に対し起倒可能とされた複数組のリンク部材（３，３，４，４）と、
前記複数組のリンク部材の各々の上端部と下端部とを結ぶ直線が互いに平行に延在するようにそれら複数組のリンク部材の各々に揺動可能に連結されて前記床台に平行に配置され、前記各組のリンク部材および前記床台と共に平行リンクを構成するとともに互いに上下方向に重ならず前後にずれて位置する複数段のステップ板（９，１０）と、
前記複数組のリンク部材の少なくとも一つを前記床台に対して起きた所定支持位置に解除可能に掛止して前記ステップ板を前記床台から上昇した所定使用位置に固定するリンク部材掛止手段（１１）と、を具え、
前記複数組のリンク部材は、前記床台の横方向へ揺動するものであることを特徴とする、移動観覧席用折り畳み式ステップ。
【請求項２】
前記複数組のリンク部材の上端部には、前記複数段のステップ板に亘って前記床台の前後方向へ延在する手摺り（１４）が設けられていることを特徴とする、請求項１記載の移動観覧席用折り畳み式ステップ。
【請求項３】
前記掛止手段は、前記床台上に移動可能に支持され、前記支持位置に位置したリンク部材の少なくとも一つを掛合対象としてその掛合対象のリンク部材と掛合する位置に移動されるとそのリンク部材をその支持位置に掛止し、前記掛合対象のリンク部材から分離する位置に移動されるとそのリンク部材の掛止を解除するロック部材（１１）を具えることを特徴とする、請求項１または２記載の移動観覧席用折り畳み式ステップ。
【請求項４】
前記掛止手段は、前記床台上で、前記複数組のリンク部材のうちの、それらのリンク部材の揺動方向の一端に位置する複数のリンク部材の下端部を上下移動可能に支持し、前記複数のリンク部材が前記床台に対し概略起きた位置からその下方の前記支持位置に下ろされるとそれら複数のリンク部材の少なくとも一つを掛止対象としてその掛止対象のリンク部材を前記支持位置に掛止し、前記複数のリンク部材が前記支持位置から持ち上げられると前記掛止対象のリンク部材の掛止を解除する支持部材（２５）を具えることを特徴とする、請求項１または２記載の移動観覧席用折り畳み式ステップ。
【発明の詳細な説明】
【０００１】
【発明の属する技術分野】
この発明は、移動観覧席用のステップに関し、特には折り畳み式のステップに関するものである。
【０００２】
【従来の技術】
移動観覧席は、体育館や多目的ホール等に用いられるもので、一般に、横並びに配置された複数の椅子を起倒可能に支持する複数の床台を具え、それらの床台を互いに上下に整列する縮小状態と互いに階段状にずれる展開状態との間で移動させるとともに、その縮小状態では各床台上の椅子を倒して床台の上下間隔を少なくすることで全体にコンパクトに纏まって壁際等の収納位置に収納され、またその展開状態では各床台上の椅子を起こして階段状の観覧席を形成する。
【０００３】
ところで、移動観覧席は、ホール等の二階席の迫り出し部の下の引っ込んだ壁際の収納位置に収納される場合があり、その場合には、展開状態とした複数の床台のうちの最上部の床台と二階席の迫り出し部との間で人が行き来できるようにする必要があることから、移動観覧席の最上部の床台上には、一段または複数段のステップを設ける必要がある。
【０００４】
一方、縮小状態として上記収納位置に配置した複数の床台のうちの最上部の床台と、二階席の迫り出し部との間には、ステップがそのまま入る程の隙間が開かないのが通常である。これがため、従来の上記ステップは、箱状に形成されて別の場所に収納され、複数の床台が展開状態とされた時に二階席の迫り出し部に添わされて最上部の床台上に置かれていた。
【０００５】
【発明が解決しようとする課題】
しかしながら、上記のようにステップを別の場所に収納したのでは、床台を展開状態にする度に最上部の床台までそのステップを運んで来る必要があって手間がかかるとともに、ステップを紛失してしまう可能性があった。
【０００６】
そしてこの問題を解決するには、Ｘ型に組んで中間部を互いに軸結合した複数組のリンク部材でパンタグラフ式にステップを昇降させる構成も考えられるが、かかるリンク構成では、ステップの昇降移動全体に亘って関連する比較的長い摺動部が必要となるため、円滑な作動を維持するには保守に手間がかかるという不都合があった。
【０００７】
【課題を解決するための手段およびその作用・効果】
この発明は、上記課題を有利に解決したステップを提供することを目的とするものであり、この発明の移動観覧席用折り畳み式ステップは、移動観覧席の床台上に、各組をなす複数のリンク部材の下端部が同一直線上に位置するとともに、異なる組をなすリンク部材の下端部が互いに平行な異なる直線上に位置する配置にて、各々下端部を前記直線に直角かつ前記床台に平行な軸線周りに揺動可能に連結されて、前記床台に対し起倒可能とされた複数組のリンク部材と、前記複数組のリンク部材の各々の上端部と下端部とを結ぶ直線が互いに平行に延在するようにそれら複数組のリンク部材の各々に揺動可能に連結されて前記床台に平行に配置され、前記各組のリンク部材および前記床台と共に平行リンクを構成するとともに互いに上下方向に重ならず前後にずれて位置する複数段のステップ板と、前記複数組のリンク部材の少なくとも一つを前記床台に対して起きた所定支持位置に解除可能に掛止して前記ステップ板を前記床台から上昇した所定使用位置に固定するリンク部材掛止手段と、を具え、前記複数組のリンク部材は、前記床台の横方向へ揺動するものであることを特徴とするものである。
【０００８】
かかる折り畳み式ステップにあっては、複数組のリンク部材が、各組をなす複数のリンク部材の下端部が同一直線上に位置するとともに、異なる組をなすリンク部材の下端部が互いに平行な異なる直線上に位置する配置にて、移動観覧席の床台上に各々下端部を前記直線に直角かつその床台に平行な軸線周りに揺動可能に連結されてその床台に対し起倒可能とされ、また、一または複数枚のステップ板が、上記複数組のリンク部材の各々の上端部と下端部とを結ぶ直線が互いに平行に延在するようにそれら複数組のリンク部材の各々に揺動可能に連結されて上記床台に平行に配置され、各組のリンク部材および床台と共に平行リンクを構成しており、これにより、複数組のリンク部材が床台に対して倒れた位置と起きた所定支持位置との間で揺動すると、それら複数組のリンク部材が構成する、同一直線上に位置しない複数の平行リンクの作用で、一または複数枚のステップ板が床台に近接した収納位置と床台から上昇した所定使用位置との間で床台に対し平行移動する。そして複数組のリンク部材の少なくとも一つがリンク部材掛止手段によって床台に対して起きた所定支持位置に掛止されると、ステップ板が上記使用位置に固定され、またリンク部材掛止手段がその掛止を解除すると、全てのリンク部材が揺動可能となって、それらのリンク部材を倒れた位置へ向けて揺動させることで当該ステップを折り畳んでステップ板を上記収納位置へ移動させることが可能となる。
【０００９】
従ってこの発明の移動観覧席用折り畳み式ステップによれば、ステップを構成するリンク部材およびステップ板が床台に連結されているので、床台を展開状態にする度に最上部の床台までステップを運んで来る必要をなくし得てステップの設置の手間を少なくし得るとともに、ステップの紛失のおそれをなくすことができ、しかもリンク部材の揺動によってステップ板を折り畳み収納位置と使用位置との間で床台に対し平行移動させる簡易な構成となっているので、円滑な作動を維持するための保守の手間も少なくすることができる。
【００１０】
さらにこの発明の移動観覧席用折り畳み式ステップによれば、前記複数組のリンク部材が、前記床台の横方向へ揺動するものであるので、床台上の前後方向にスペースの少ない場所でもステップを設置することができ、また、前後方向へ延在する手摺りをリンク部材に固定してもリンク部材を揺動可能とすることができるので、折り畳み式ステップ全体の剛性を高めることができる。
【００１１】
そして、複数段のステップ板が互いに上下方向に重ならず前後にずれて位置していることから、リンク部材を床台の横方向へ倒してステップを収納する際に、複数段のステップ板が、互いに上下方向に重ならず前後に位置する。
【００１２】
なお、この発明の移動観覧席用折り畳み式ステップにおいては、前記複数組のリンク部材の上端部に、前記複数段のステップ板に亘って前記床台の前後方向へ延在する手摺りが設けられていても良く、かかる手摺りが設けられていれば、複数段のステップ板を使用位置に移動させる際に複数段分の手摺りも一緒に複数段のステップ板の上方へ移動させ得て、手摺り付きのステップを容易に設置することができる。
【００１３】
また、この発明の移動観覧席用折り畳み式ステップにおいては、前記掛止手段は、前記床台上に移動可能に支持され、前記支持位置に位置したリンク部材の少なくとも一つを掛合対象としてその掛合対象のリンク部材と掛合する位置に移動されるとそのリンク部材をその支持位置に掛止し、前記掛合対象のリンク部材から分離する位置に移動されるとそのリンク部材の掛止を解除するロック部材を具えていても良く、かかるロック部材によれば、容易にリンク部材の掛止と解除とを行うことができる。
【００１４】
一方、この発明の移動観覧席用折り畳み式ステップにおいては、前記掛止手段は、前記床台上で、前記複数組のリンク部材のうちの、それらのリンク部材の揺動方向の一端に位置する複数のリンク部材の下端部を上下移動可能に支持し、前記複数のリンク部材が前記床台に対し概略起きた位置からその下方の前記支持位置に下ろされるとそれら複数のリンク部材の少なくとも一つを掛止対象としてその掛止対象のリンク部材を前記支持位置に掛止し、前記複数のリンク部材が前記支持位置から持ち上げられると前記掛止対象のリンク部材の掛止を解除する支持部材を具えていても良く、かかる支持部材によれば、別途にロック部材を設けなくても、リンク部材を支持するとともにそのリンク部材の掛止と解除とを行うことができるので、ステップの構成を簡易ならしめることができる。
【００１５】
【発明の実施の形態】
以下に、この発明の実施の形態を実施例によって、図面に基づき詳細に説明する。ここに、図１（ａ）は、この発明の移動観覧席用折り畳み式ステップの一実施例をステップ板が使用位置に位置する状態で示す正面図、図１（ｂ）は、その実施例の折り畳み式ステップをステップ板が使用位置に位置する状態で示す側面図、図２は、その実施例の折り畳み式ステップをステップ板が収納位置に位置する状態で示す正面図、図３（ａ）は、その実施例の折り畳み式ステップをステップ板が収納位置に位置する状態で示す斜視図、そして図３（ｂ）は、その実施例の折り畳み式ステップをステップ板が使用位置に位置する状態で示す斜視図である。
【００１６】
図中符号１は、後述する図８および図12に示す如き移動観覧席ＭＳの最上部の床台、また２は、この実施例の折り畳み式ステップを示し、この実施例の折り畳み式ステップ２は、各々角パイプ状をなしている二本ずつ二組のリンク部材３，３および４，４を具えており、これら二組のリンク部材３，３および４，４は各々下端部３ａ，４ａを、床台１上に固定されたブラケット５，６およびそれらに設けられた支持軸７を介して、図１に示す如く床台１の左右方向へ延在する互いに平行な二本の直線Ｌ１, Ｌ２に直角に延在するとともに床台１に平行に延在する、図１および図３（ａ），（ｂ）に示す如き二本の軸線Ｃ１, Ｃ２周りに床台１の横方向へ揺動可能なように床台１上に連結されており、これにより二組のリンク部材３，３および４，４は、床台１に対し、図１（ａ），（ｂ）および図３（ｂ）に示す起きた所定支持位置と、図２および図３（ａ）に示す横方向に倒れた位置との間で起倒可能とされている。
【００１７】
ここで、床台１の前寄り（図１（ｂ）では左方）の組の二本のリンク部材３，３の各々の下端部３ａは、上記二本の直線のうちの直線Ｌ１上に位置し、またその前寄りの組と異なる組である床台１の後ろ寄りの組の二本のリンク部材４，４の各々の下端部４ａは、もう一方の直線Ｌ２上に位置しており、大きい方のブラケットであるブラケット５は、各組の二本のリンク部材のうち図１（ａ）では左側のリンク部材３，４を床台１に連結し、他方のブラケット６は、図１（ａ）では右側のリンク部材３，４を床台１に連結している。
【００１８】
また、この実施例の折り畳み式ステップ２は、上記二組のリンク部材３，３および４，４の各々の上端部３ｂ，３ｂおよび４ｂ，４ｂと上記下端部３ａ，３ａおよび４ａ，４ａとを結ぶ直線が互いに平行に延在するようにそれら二組のリンク部材３，３および４，４の各々に両端部を連結軸８を介して揺動可能に連結されて床台１に平行にかつ二段に高さを変えて配置された二枚のステップ板９，１０を具えており、これら二枚のステップ板９，１０は、上記二組のリンク部材のうち前寄りの組のリンク部材３，３および床台１と共に折り畳み式ステップ２の前端部で四節平行リンクを構成すると同時に、上記二組のリンク部材のうち後ろ寄りの組のリンク部材４，４および床台１と共に折り畳み式ステップ２の後端部で四節平行リンクを構成している。
【００１９】
さらにこの実施例の折り畳み式ステップ２は、上記二組のリンク部材の各組の片方（図１（ａ）および図２では左方）のリンク部材３，４をそれぞれ床台１に対して起きた図１（ａ）および図３（ｂ）に示す支持位置に解除可能に掛止してステップ板９，１０を床台１から上昇した図１（ａ）および図３（ｂ）に示す所定使用位置に固定する、リンク部材掛止手段としての鉤型の二個のロック部材１１を具えており、それら二個のロック部材１１は、上記ブラケット５に回動可能に支持された連結軸１２上に固定されることで床台１に揺動可能に支持されて互いに連動するとともに、その連結軸１２の端部に固定された図示しないレバーの操作で連結軸１２が回動されることにより、上記支持位置に位置した四本のリンク部材のうち掛合対象とする図１（ａ）および図２では左方のリンク部材３，４の下端部３ａ，４ａに固設された掛合軸１３と掛合する、図１（ａ）および図２に示す掛合位置と、その掛合軸１３から分離する図示しない解除位置との間で揺動され、また、図示しないスプリングによりその掛合位置へ向けて常時附勢されている。
【００２０】
これにより二個のロック部材１１は、上記支持位置に位置する掛合対象の左方のリンク部材３，４の掛合軸１３と掛合する掛合位置に揺動されるとそれらのリンク部材３，４をその支持位置に掛止し、その一方、上記レバーの操作でそれら掛合対象のリンク部材３，４の掛合軸１３から分離する位置に揺動されるとそれらのリンク部材３，４の掛止を解除する
【００２１】
さらにこの実施例の折り畳み式ステップ２は、上記二組のリンク部材の各組の片方のリンク部材３，４の上端部３ｂ，４ｂ同士を繋ぐようにそれらの上端部に固定されて、二組のリンク部材３，３および４，４が上記起きた所定支持位置に位置するときに床台１に対し前後方向へ傾斜して延在する二本の手摺り１４と、上記二組のリンク部材の各組の片方のリンク部材３，４の外側にそれら同士を繋ぐようにそれぞれ固定された二枚の覆い板１５とを具えており、これら手摺り１４および覆い板１５は、それら本来の手摺りおよび覆いとしての機能に加えて、二組のリンク部材の各組の片方のリンク部材３，４を一体的に結合して折り畳み式ステップ２の剛性を高める機能を果たしている。
【００２２】
かかる実施例の折り畳み式ステップ２にあっては、二組のリンク部材３，３および４，４が、一方の組をなす二本のリンク部材３，３の下端部３ａ，３ａが同一直線Ｌ１上に位置する一方、他方の組をなす二本のリンク部材４，４の下端部４ａ，４ａが同一直線Ｌ２上に位置るとともに、異なる組をなすリンク部材の下端部３ａ，４ａおよび３ｂ，４ｂが互いに平行な異なる直線Ｌ１，Ｌ２上にそれぞれ位置する配置にて、移動観覧席ＭＳの床台１上に各々下端部３ａ，４ａを上記直線Ｌ１，Ｌ２に直角かつその床台１に平行な軸線Ｃ１，Ｃ２周りに揺動可能に連結されてその床台１に対し起倒可能とされ、また、二枚のステップ板９，１０が、上記二組のリンク部材３，３および４，４の各々の上端部と下端部とを結ぶ直線が互いに平行に延在するようにそれら二組のリンク部材３，３および４，４の各々に揺動可能に連結されて上記床台１に平行に配置され、各組のリンク部材３，３または４，４および床台１と共に四節平行リンクを構成している。
【００２３】
これによりこの実施例の折り畳み式ステップ２にあっては、二組のリンク部材３，３および４，４が床台１に対して倒れた位置と起きた支持位置との間で揺動すると、それら二組のリンク部材が構成する、同一直線上に位置しない二つの四節平行リンクの作用で、二枚のステップ板９，１０が、図２および図３（ａ）に示す、床台１に近接した収納位置と、図１および図３（ｂ）に示す、床台１から上昇した所定使用位置との間で床台１に対し平行移動する。そして各組のリンク部材３，３および４，４の、図１（ａ）では左側の一本ずつが掛止対象として、ロック部材１１によって床台１に対して起きた支持位置に掛止されると、ステップ板９，１０が上記使用位置に固定されて、図１（ｂ）に示すように、二階席の迫り出し部ＳＡと床台１との間の人の行き来が可能となり、また人手による上記レバーの操作でロック部材１１がその掛止を解除すると、全てのリンク部材３，３および４，４が揺動可能となって、それらのリンク部材３，３および４，４を倒れた位置へ向けて揺動させることで当該ステップ２を図２および図３（ａ）に示すように折り畳んでステップ板９，１０を上記収納位置へ移動させることが可能となる。
【００２４】
従ってこの実施例の移動観覧席用折り畳み式ステップ２によれば、ステップを構成するリンク部材３，３，４，４およびステップ板９，１０が床台１に連結されているので、床台１を展開状態にする度に最上部の床台１までステップを運んで来る必要をなくし得てステップの設置の手間を少なくし得るとともに、ステップの紛失のおそれをなくすことができ、しかもリンク部材３，３，４，４の揺動によってステップ板９，１０を折り畳み収納位置と使用位置との間で床台１に対し平行移動させる簡易な構成となっているので、円滑な作動を維持するための保守の手間も少なくすることができる。
【００２５】
さらに、この実施例の移動観覧席用折り畳み式ステップ２によれば、二組のリンク部材３，３，４，４の上端部３ｂ，３ｂ，４ｂ，４ｂに、床台１の前後方向へ延在する手摺り１４が設けられているので、ステップを使用位置に移動させる最に手摺り１４も一緒にステップの上方へ移動させ得て、手摺り付きのステップを容易に設置することができる。
【００２６】
また、この実施例の移動観覧席用折り畳み式ステップ２によれば、二組のリンク部材３，３，４，４が、床台１の横方向へ揺動することから、床台１上の前後方向にスペースの少ない場所でもステップを設置することができ、しかも、前後方向へ延在する手摺り１４をリンク部材３，４の上端部３ｂ，４ｂに固定してもリンク部材３，４を揺動可能とすることができるので、折り畳み式ステップ全体の剛性を高めることができる。
【００２７】
そして、この実施例の移動観覧席用折り畳み式ステップ２によれば、掛止手段としてロック部材１１を揺動可能に具えているので、容易にリンク部材３，４の掛止と解除とを行うことができる。
【００２８】
図４は、この発明の移動観覧席用折り畳み式ステップの参考例を、ステップ板が使用位置に位置する状態で、かつステップ板の上板部分を除いた状態で示す平面図、図５は、その参考例の移動観覧席用折り畳み式ステップを示す、図４の矢印Ｖ方向から見た断面図、図６は、その参考例の移動観覧席用折り畳み式ステップを示す、図４の矢印VI方向から見た断面図、図７は、その参考例の移動観覧席用折り畳み式ステップを、ステップ板が折り畳み収納位置に位置する状態で示す、図６と同様の方向から見た断面図、図８は、その参考例の移動観覧席用折り畳み式ステップを、ステップ板が使用位置に位置する状態で、展開状態の移動観覧席とともに示す側面図、図９は、その参考例の移動観覧席用折り畳み式ステップを、ステップ板が折り畳み収納位置に位置する状態で、収納状態の移動観覧席とともに示す側面図であり、図中、先の実施例と同様の部分は、それと同一の符号にて示す。
【００２９】
すなわち、図中符号１は、図８に示す如き移動観覧席ＭＳの最上部の床台、また２２は、この参考例の折り畳み式ステップを示し、この参考例の折り畳み式ステップ２２は、各々チャンネル状（断面コ字状）をなしている二本ずつ二組のリンク部材２３，２３および２４，２４を具えており、これら二組のリンク部材２３，２３および２４，２４は各々下端部２３ａ，２４ａを、床台１上に固定されたブラケット２５，２６およびそれらに設けられた支持軸２７を介して、図４に示す如く、床台１の前後方向（図では上下方向）へ延在する互いに平行な二本の直線Ｌ３, Ｌ４に直角に延在するとともに床台１に平行に延在する二本の軸線Ｃ３, Ｃ４周りに床台１の前後方向へ揺動可能なように床台１上に連結されており、これにより二組のリンク部材２３，２３および２４，２４は、床台１に対し、図５および図６に示す起きた所定支持位置と、図７に示す前方に倒れた位置との間で起倒可能とされている。
【００３０】
ここで、床台１の右側寄り（図４では左方）の組の二本のリンク部材２３，２３の各々の下端部２３ａは、上記二本の直線のうちの直線Ｌ３上に位置し、またその右側寄りの組と異なる組である床台１の左側寄り（図４では右方）の組の二本のリンク部材２４，２４の各々の下端部２４ａは、もう一方の直線Ｌ４上に位置しており、軸線Ｃ３上に位置するブラケット２５は、各組の二本のリンク部材のうち床台１の前寄り（図４では下方）のリンク部材２３，２４を床台１に連結し、軸線Ｃ４上に位置する他方のブラケット２６は、床台１の後ろ寄り（図４では上方）のリンク部材２３，２４を床台１に連結している。
【００３１】
また、この参考例の折り畳み式ステップ２２は、上記二組のリンク部材２３，２３および２４，２４の各々の上端部２３ｂ，２３ｂおよび２４ｂ，２４ｂと上記下端部２３ａ，２３ａおよび２４ａ，２４ａとを結ぶ直線が互いに平行に延在するようにそれら二組のリンク部材２３，２３および２４，２４の各々に両端部を連結軸２８を介して揺動可能に連結されて床台１に平行にかつ配置された一枚のステップ板２９を具えており、このステップ板２９は、上記二組のリンク部材のうち床台１の右側寄り（図４では左方）の組のリンク部材２３，２３および床台１と共に折り畳み式ステップ２２の右端部（図４，図５では左方端部）で四節平行リンクを構成すると同時に、上記二組のリンク部材のうち床台１の左側寄り（図４では右方）の組のリンク部材２４，２４および床台１と共に折り畳み式ステップ２２の左端部（図４，図５では右方端部）で四節平行リンクを構成している。
【００３２】
さらにこの参考例の折り畳み式ステップ２２は、上記二組のリンク部材の各組の片方（図４では下方）のリンク部材２３，２４をそれぞれ床台１に対して起きた図５および図６に示す支持位置に解除可能に掛止してステップ板２９を床台１から上昇した図５および図６に示す所定使用位置に固定する、リンク部材掛止手段としての支持部材として、上記二個のブラケット２５を具えており、それら二個のブラケット２５は、床台１上で、上記二組のリンク部材のうちの、それらのリンク部材の揺動方向の一端すなわちこの参考例では床台１の前寄りの端（図４では下方）に位置する二本のリンク部材２３，２４の下端部２３ａ，２４ａに嵌設された上記支持軸２７を実質的に上下移動可能に支持する、上方へゆく程床台１の前方へ近づくように傾斜した長孔２５ａと、床台１の前寄りの端の上記二本のリンク部材２３，２４が床台１に対し概略起きた位置からさらに起こされながらその下方の上記支持位置に下ろされると図６に示すようにそれら二本のリンク部材２３，２４の下端部２３ａ，２４ａに固設された掛合軸３３と掛合してそれら二本のリンク部材２３，２４を上記支持位置に掛止し、それら二本のリンク部材２３，２４がその支持位置から持ち上げられると掛合軸３３から分離してそれらのリンク部材２３，２４の掛止を解除して図７に示す如き前方へのそれらのリンク部材２３，２４の揺動を可能にするＵ字状溝２５ｂとを有している。
【００３３】
かかる参考例の折り畳み式ステップ２２にあっては、二組のリンク部材２３，２３および２４，２４が、一方の組をなす二本のリンク部材２３，２３の下端部２３ａ，２３ａが同一直線Ｌ３上に位置する一方、他方の組をなす二本のリンク部材２４，２４の下端部２４ａ，２４ａが同一直線Ｌ４上に位置るとともに、異なる組をなすリンク部材の下端部２３ａ，２４ａおよび２３ｂ，２４ｂが互いに平行な異なる直線Ｌ３，Ｌ４上にそれぞれ位置する配置にて、移動観覧席ＭＳの床台１上に各々下端部２３ａ，２４ａを上記直線Ｌ３，Ｌ４に直角かつその床台１に平行な軸線Ｃ３，Ｃ４周りに揺動可能に連結されてその床台１に対し起倒可能とされ、また、一枚のステップ板２９が、上記二組のリンク部材２３，２３および２４，２４の各々の上端部と下端部とを結ぶ直線が互いに平行に延在するようにそれら二組のリンク部材２３，２３および２４，２４の各々に揺動可能に連結されて上記床台１に平行に配置され、各組のリンク部材２３，２３または２４，２４および床台１と共に四節平行リンクを構成している。
【００３４】
これによりこの参考例の折り畳み式ステップ２２にあっては、二組のリンク部材２３，２３および２４，２４が床台１に対して倒れた位置と起きた支持位置との間で揺動すると、それら二組のリンク部材が構成する、同一直線上に位置しない二つの四節平行リンクの作用で、ステップ板２９が、図７に示す、床台１に近接した収納位置と、図５および図６に示す、床台１から上昇した所定使用位置との間で床台１に対し平行移動する。そして各組のリンク部材２３，２３および２４，２４の、図４では下側の一本ずつが掛止対象として、掛合軸３３とブラケット２５のＵ字状溝２５ｂとの掛合によって床台１に対し起きた支持位置に掛止されると、ステップ板２９が上記使用位置に固定されて、図６および図８に示すように、二階席の迫り出し部ＳＡと床台１との間の人の行き来が可能となり、またその状態からステップ板２９の前端部（図４では下端部）が手で持ち上げられてブラケット２５のＵ字状溝２５ｂから掛合軸３３が外れ、ブラケット２５が上記の掛止を解除すると、全てのリンク部材２３，２３および２４，２４が揺動可能となって、それらのリンク部材２３，２３および２４，２４を倒れた位置へ向けて揺動させることで当該ステップ２２を図７に示すように折り畳んでステップ板２９を上記収納位置へ移動させることが可能となり、この結果、図９に示すように、当該参考例のステップ２２に妨げられずに、移動観覧席ＭＳを、ホール等の二階席の迫り出し部ＳＡの下の引っ込んだ壁際の収納位置に収納することが可能となる。なお、図８，図９中符号３４は最上部以外の床台、ＦＳは座起立式椅子をそれぞれ示し、特に床台１，３４上の座起立式椅子ＦＳは、全体として、図８に示す起きた位置と図９に示す倒れた位置との間で、図示しない駆動機構により自動的に揺動されるものである。
【００３５】
従ってこの参考例の移動観覧席用折り畳み式ステップ２２によれば、先の実施例と同様、ステップを構成するリンク部材２３，２３，２４，２４およびステップ板２９が床台１に連結されているので、床台１を展開状態にする度に最上部の床台１までステップを運んで来る必要をなくし得てステップの設置の手間を少なくし得るとともに、ステップの紛失のおそれをなくすことができ、しかもリンク部材２３，２３，２４，２４の揺動によってステップ板２９を折り畳み収納位置と使用位置との間で床台１に対し平行移動させる簡易な構成となっているので、円滑な作動を維持するための保守の手間も少なくすることができる。
【００３６】
しかも、この参考例の移動観覧席用折り畳み式ステップ２２によれば、二組のリンク部材２３，２３，２４，２４が、床台１の前後方向へ揺動するので、床台１上の横方向にスペースの少ない場所でもステップを設置することができる。
【００３７】
そして、この参考例の移動観覧席用折り畳み式ステップ２２によれば、ブラケット２５が掛止手段としても機能するので、ステップの構成を簡易ならしめることができる。
【００３８】
図10は、この発明の移動観覧席用折り畳み式ステップの他の一参考例を、ステップ板が使用位置に位置する状態で示す、図６と同様の方向から見た断面図、図11は、その参考例の移動観覧席用折り畳み式ステップを、ステップ板が折り畳み収納位置に位置する状態で示す、図６と同様の方向から見た断面図、図12は、その参考例の移動観覧席用折り畳み式ステップを、ステップ板が使用位置に位置する状態で、展開状態の移動観覧席とともに示す側面図、図13は、その参考例の移動観覧席用折り畳み式ステップを、ステップ板が折り畳み収納位置に位置する状態で、収納状態の移動観覧席とともに示す側面図であり、図中、先の実施例および参考例と同様の部分は、それと同一の符号にて示す。
【００３９】
すなわち、図中符号１は、図11に示す如き移動観覧席ＭＳの最上部の床台、また３２は、この参考例の折り畳み式ステップを示し、この参考例の折り畳み式ステップ３２は、二段のステップ板２９，３０を具えるとともに、上側のステップ板３０を支持するために、床台１の後方側のリンク部材２３，２４が、下側のステップ板２９に設けられた長孔２９ａを通って上方に延長され、また下側のステップ板２９の左右端部付近に支持軸２７で下端部を揺動可能に支持された追加の二本のリンク部材３１，３１が、下側のステップ板２９に設けられた長孔２９ｂを通って上方に延在しており、それら床台１の後方側のリンク部材２３，２４と追加の二本のリンク部材３１，３１とが互いに平行になるように、それら四本のリンク部材の上端部がそれぞれ上側のステップ板３０に、連結軸２８を介して揺動可能に連結されている点で、図４〜図９に示す参考例と異なっており、その他の点ではその参考例と同様の構成を具えている。
【００４０】
かかる参考例の移動観覧席用折り畳み式ステップ３２によれば、先の参考例と同様、ステップを構成するリンク部材２３，２３，２４，２４，３１，３１および二枚のステップ板２９，３０が床台１に連結されているので、床台１を展開状態にする度に最上部の床台１までステップを運んで来る必要をなくし得てステップの設置の手間を少なくし得るとともに、ステップの紛失のおそれをなくすことができ、しかもリンク部材２３，２３，２４，２４，３１，３１の揺動によって二枚のステップ板２９，３０を折り畳み収納位置と使用位置との間で床台１に対し平行移動させる簡易な構成となっているので、円滑な作動を維持するための保守の手間も少なくすることができる。
【００４１】
そして特にこの参考例では、二枚のステップ板２９，３０を二段に配置して連動させているので、床台１と二階席の迫り出し部ＳＡとの段差が比較的大きい場合でもそれらの間の行き来を可能にすることができる。
【００４２】
また、この参考例の移動観覧席用折り畳み式ステップ３２によれば、先の参考例と同様、二組のリンク部材２３，２３，２４，２４，３１，３１が、床台１の前後方向へ揺動するので、床台１上の横方向にスペースの少ない場所でもステップを設置することができる。
【００４３】
そして、この参考例の移動観覧席用折り畳み式ステップ３２によれば、先の参考例と同様、ブラケット２５が掛止手段としても機能するので、ステップの構成を簡易ならしめることができる。
【００４４】
以上、図示例に基づき説明したが、この発明は上述の例に限定されるものでなく、例えば、この発明の移動観覧席用折り畳み式ステップは、移動観覧席の最上部の床台上のみならず、途中や最下部の床台上に設けても良く、そのようにすれば、移動観覧席が床台間の段差は比較的少ないがステップの設置が必要なものの場合等に、ステップに妨げられずに移動観覧席を縮小状態にすることができる。
【図面の簡単な説明】
【図１】  （ａ）は、この発明の移動観覧席用折り畳み式ステップの一実施例をステップ板が使用位置に位置する状態で示す正面図、また（ｂ）は、その実施例の折り畳み式ステップをステップ板が使用位置に位置する状態で示す側面図である。
【図２】  上記実施例の折り畳み式ステップをステップ板が収納位置に位置する状態で示す正面図である。
【図３】  （ａ）は、上記実施例の折り畳み式ステップをステップ板が収納位置に位置する状態で示す斜視図、また（ｂ）は、その実施例の折り畳み式ステップをステップ板が使用位置に位置する状態で示す斜視図である。
【図４】  この発明の移動観覧席用折り畳み式ステップの一参考例を、ステップ板が使用位置に位置する状態で、かつステップ板の上板部分を除いた状態で示す平面図である。
【図５】  上記参考例の移動観覧席用折り畳み式ステップを示す、図４の矢印Ｖ方向から見た断面図である。
【図６】  上記参考例の移動観覧席用折り畳み式ステップを示す、図４の矢印VI方向から見た断面図である。
【図７】  上記参考例の移動観覧席用折り畳み式ステップをステップ板が折り畳み収納位置に位置する状態で示す、図６と同様の方向から見た断面図である。
【図８】  上記参考例の移動観覧席用折り畳み式ステップを、ステップ板が使用位置に位置する状態で、展開状態の移動観覧席とともに示す側面図である。
【図９】  上記参考例の移動観覧席用折り畳み式ステップを、ステップ板が折り畳み収納位置に位置する状態で、収納状態の移動観覧席とともに示す側面図である。
【図１０】  この発明の移動観覧席用折り畳み式ステップの他の一参考例を、二枚のステップ板が使用位置に位置する状態で示す、図６と同様の方向から見た断面図である。
【図１１】  上記参考例の移動観覧席用折り畳み式ステップを、二枚のステップ板が折り畳み収納位置に位置する状態で示す、図６と同様の方向から見た断面図である。
【図１２】  上記参考例の移動観覧席用折り畳み式ステップを、二枚のステップ板が使用位置に位置する状態で、展開状態の移動観覧席とともに示す側面図である。
【図１３】  上記参考例の移動観覧席用折り畳み式ステップを、二枚のステップ板が折り畳み収納位置に位置する状態で、収納状態の移動観覧席とともに示す側面図である。
【符号の説明】
１，３４  床台
２，２２，３２  折り畳み式ステップ
３，４，２３，２４，３１  リンク部材
３ａ，４ａ，２３ａ，２４ａ  下端部
３ｂ，４ｂ，２３ｂ，２４ｂ  上端部
５，６，２５，２６  ブラケット
７，２７  支持軸
８，１２，２８  連結軸
９，１０，２９，３０  ステップ板
１１  ロック部材
１３  掛合軸
１４  手摺り
１５  覆い板
２５ａ  長孔
２５ｂ  Ｕ字状溝
Ｃ１，Ｃ２，Ｃ３，Ｃ４  軸線
Ｌ１，Ｌ２，Ｌ３，Ｌ４  直線
ＦＳ  座起立式椅子
ＭＳ  移動観覧席
ＳＡ  迫り出し部
【図１】
0003914777.tif 000002
【図２】
0003914777.tif 000003
【図３】
0003914777.tif 000004
【図４】
0003914777.tif 000005
【図５】
0003914777.tif 000006
【図６】
0003914777.tif 000007
【図７】
0003914777.tif 000008
【図８】
0003914777.tif 000009
【図９】
0003914777.tif 000010
【図１０】
0003914777.tif 000011
【図１１】
0003914777.tif 000012
【図１２】
0003914777.tif 000013
【図１３】
0003914777.tif 000014